(57)【特許請求の範囲】
【請求項１】
冷凍室の前面開口を開閉する引き出し式扉が設けられ、上面開口の合成樹脂製の冷凍室容器が前記引き出し式扉と一体に前記冷凍室内に前後方向に引き出し収納自在に支持された貯蔵庫において、前記冷凍室の背壁には冷気吹き出し口が前方へ向けて突出状態に設けられ、前記冷凍室容器の後壁の上部に冷気入口が形成され、前記冷気入口には、前記引き出し式扉が閉じたとき前記冷気吹き出し口によって押されて前記冷気入口を開き、前記引き出し式扉が開いたとき前記冷気吹き出し口から離れることによって前記冷気入口を閉じるように作動する開閉板を設けたことを特徴とする貯蔵庫。
【請求項２】
前記冷凍室容器は、深い上面開口の主容器と、前記主容器の上面開口上端部の左右フランジ部に前後方向にスライド自在で且つ着脱自在に載置される浅い上面開口の透明な補助容器とからなり、前記主容器の前壁に冷気出口を形成し、前記補助容器の上面開口を覆うように前記補助容器の周縁部に着脱自在に載置される透明な板状の蓋を備えたことを特徴とする請求項１に記載の貯蔵庫。
【請求項３】
前記冷気入口は、前記補助容器よりも下方位置において前記後壁の上部を窪ませた切り欠き状態に形成されたことを特徴とする請求項２に記載の貯蔵庫。
【請求項４】
前記開閉板は、バネ力又は自重の作用力によって常時前記冷気入口を閉じる方向に付勢されたことを特徴とする請求項１乃至３にいずれかに記載の貯蔵庫。
【発明の詳細な説明】
【技術分野】
【０００１】
本発明は、上面開口の冷凍室容器が前面開口の冷凍室内に前後方向に引き出し収納自在である貯蔵庫の冷凍室容器の改良に関する。
【背景技術】
【０００２】
冷凍室の前面開口を開閉する引き出し式扉３７の裏側に収納容器３８を取り付け、この収納容器３８を引き出し式扉３７と一体に引き出せるようにし、この収納容器３８の上部に前後方向に移動可能に第２の収納容器３９を設けた冷蔵庫があるが、この収納容器３８への冷気の供給に関しては定かでない。（例えば、特許文献１）。
【特許文献１】特開２０００−２６６４５２号公報
【発明の開示】
【発明が解決しようとする課題】
【０００３】
本発明は、冷凍室の前面開口を開閉する引き出し式扉と一体に、上面開口の合成樹脂製の冷凍室容器が引き出し自在に支持された貯蔵庫において、冷凍室容器内への冷気導入を確実に行うと共に、引き出し式扉が開かれて冷凍室容器が引き出されたとき、冷凍室容器内の冷気が漏れ難いようにして、冷凍室容器内の冷凍食品の温度上昇を抑制できる構成を提供するものである。
【課題を解決するための手段】
【０００４】
第１発明の貯蔵庫は、冷凍室の前面開口を開閉する引き出し式扉が設けられ、上面開口の冷凍室容器が前記引き出し式扉と一体に前記冷凍室内に前後方向に引き出し収納自在に支持された貯蔵庫において、前記冷凍室の背壁には冷気吹き出し口が前方へ向けて突出状態に設けられ、前記冷凍室容器の後壁の上部に冷気入口が形成され、前記冷気入口には、前記引き出し式扉が閉じたとき前記冷気吹き出し口によって押されて前記冷気入口を開き、前記引き出し式扉が開いたとき前記冷気吹き出し口から離れることによって前記冷気入口を閉じるように作動する開閉板を設けたことを特徴とする。
【０００５】
第２発明の貯蔵庫は、第１発明において、前記冷凍室容器は、深い上面開口の主容器と、前記主容器の上面開口上端部の左右フランジ部に前後方向にスライド自在で且つ着脱自在に載置される浅い上面開口の透明な補助容器とからなり、前記主容器の前壁に冷気出口を形成し、前記補助容器の上面開口を覆うように前記補助容器の周縁部に着脱自在に載置される透明な板状の蓋を備えたことを特徴とする。
【０００６】
第３発明の貯蔵庫は、第２発明において、前記冷気入口は、前記補助容器よりも下方位置において前記後壁の上部を窪ませた切り欠き状態に形成されたことを特徴とする。
【０００７】
第４発明の貯蔵庫は、第１発明乃至第３発明の何れかにおいて、前記開閉板は、バネ力又は自重の作用力によって常時前記冷気入口を閉じる方向に付勢されたことを特徴とするものである。
【発明の効果】
【０００８】
第１発明では、引き出し式扉が閉じたときは、冷気吹き出し口が冷気入口に臨むため、冷気吹き出し口から吹き出す冷気が確実に冷凍室容器へ流入され、冷凍室容器内の冷凍食品に冷却が良好となる。そして、引き出し式扉が開いたときは、開閉板が冷気入口を閉じるため、冷気入口からの冷気漏れが防止され、冷凍食品の温度上昇を抑制できるものとなる。この動作が引き出し式扉の開閉によって自動的に行われるため、貯蔵庫の使用者の煩わしさもないものとなる。
【０００９】
第２発明では、第１発明の効果に加えて、補助容器が主容器の冷気漏れを防止すると共に、主容器内の冷気ガイドとなり、また、補助容器の冷気漏れは蓋によって防止されるため、引き出し式扉を開いたときの冷凍食品の温度上昇の抑制に寄与できる。また、補助容器と蓋は透明であるため、蓋を通して補助容器内の様子を把握でき、蓋と補助容器を通して主容器内の様子を把握できることとなり、蓋や補助容器の操作回数も少なくでき、冷凍食品の温度上昇を抑制できる好ましいものとなる。
【００１０】
第３発明は、第１発明又は第２発明の効果に加えて、主容器に冷気入口の形成ができるため、冷気入口の形成がし易くなり、補助容器を主容器上に載置した状態で、主容器内への冷気導入と冷気漏れ防止の作用が安定して行えるものとなる。
【００１１】
第４発明では、第１発明乃至第３発明の効果に加えて、開閉板は、常時冷気入口を閉じる方向に付勢されるため、引き出し式扉を開いたときの冷凍食品の温度上昇の抑制を速やかに行えるものとなる。
【発明を実施するための最良の形態】
【００１２】
本発明は、冷凍室の前面開口を開閉する引き出し式扉が設けられ、上面開口の冷凍室容器が前記引き出し式扉と一体に前記冷凍室内に前後方向に引き出し収納自在に支持された貯蔵庫において、前記冷凍室の背壁には冷気吹き出し口が前方へ向けて突出状態に設けられ、前記冷凍室容器の後壁の上部に冷気入口が形成され、前記冷気入口には、前記引き出し式扉が閉じたとき前記冷気吹き出し口によって押されて前記冷気入口を開き、前記引き出し式扉が開いたとき前記冷気吹き出し口から離れることによって前記冷気入口を閉じるように作動する開閉板を設けたことを特徴とするものであり、本発明の実施例を以下に記載する。
【実施例１】
【００１３】
次に、本発明の貯蔵庫を冷凍冷蔵庫とした実施の形態について説明する。図１は冷凍冷蔵庫の縦断側面図、図２は冷凍冷蔵庫本体の正面図、図３は冷凍室容器の斜視図、図４は冷凍室容器の分解斜視図、図５は冷凍室容器を支持装置に支持する部分の縦断正面図、図６は冷凍室容器への冷気入口部分を示す縦断側面図、図７は冷凍室容器の主容器と補助容器の分離した斜視図である。
【００１４】
実施例１に係る冷凍冷蔵庫１は、前面開口の冷凍冷蔵庫本体２内を区画して複数の貯蔵室を形成し、これら各貯蔵室の前面は各扉で開閉できる構成である。冷凍冷蔵庫本体２は外箱（外壁板）２Ａと内箱（内壁板）２Ｂとの間に発泡断熱材２Ｃを充填した断熱構造である。冷凍冷蔵庫本体２内には、上から冷蔵室３、冷凍室５、野菜室４が区画されて設けられ、冷蔵室３の前面開口は左右開き式扉３Ａによって閉じられている。
【００１５】
６は冷凍冷蔵庫本体２の底部に設けた機械室に設置した冷媒の圧縮機であり、圧縮機６で圧縮した冷媒は、凝縮器４２で凝縮され、キャピラリチューブなどの減圧部を通って蒸発器（冷却器）７で蒸発した後、再び圧縮機６へ帰還して圧縮される循環を行うものであり、これらによって冷凍サイクルが構成される。８は蒸発器（冷却器）７で冷却した冷気を冷蔵室３、野菜室４、冷凍室５へ循環する送風機である。
【００１６】
冷凍室５には、上面開口の合成樹脂製の冷凍室容器１０が前面開口の冷凍室３内に前後方向に引き出し収納自在に設けられている。冷凍室容器１０の前後方向の引き出しと収納をし易くするために、冷凍室容器１０の左右側壁は左右のレール２２、又はレール２２とローラ２３の組み合わせによる支持装置２０によって支持され、冷凍室５の前面開口は、支持装置２０によって冷凍室容器１０と共に前後方向へ移動可能に支持された引き出し式扉９にて開閉される。図示の支持装置２０は、扉９の裏側から後方へ水平状態に延びた左右の支持部材２１のレール部２２が、冷凍室５の左右壁に取り付けたローラ２３に載置される関係で構成され、冷凍室容器１０は、上方へ取り外し可能なるように冷凍室容器１０の左右両側のフランジ部が左右の支持部材２１に載置されている。
【００１７】
野菜室４の前面開口は、野菜室４内に設けた左右のレールとローラによる支持装置によって前後方向へ引き出し可能に支持した野菜容器４０と共に前方へ引き出される引き出し式扉４１にて閉塞されている。冷蔵室３の背壁４４と冷蔵庫本体２の背壁の内箱（内壁板）２Ｂとの間に上下方向の冷気供給通路４３が形成されている。
【００１８】
蒸発器（冷却器）７で冷却した冷気は送風機８によって矢印のように循環する。即ち、送風機８から送出される冷気は冷凍室５の背面の冷気吹き出し口２７から冷凍室５へ供給され、後述のように冷凍室容器１０内に流入し、冷凍室容器１０を出た冷気は、冷凍室５の背面下部の冷気吸込み口４５から再び蒸発器（冷却器）７にて冷却されるように帰還し、同様の循環をする。また送風機８から送出される冷気は、ダンパー装置４６を通って冷気供給通路４３へ供給され、冷気供給通路４３の左右両側に形成した冷気通路４３Ａに分配されて冷蔵室３の背壁４４に形成した冷気吹き出し口４７から冷蔵室３へ供給される。
【００１９】
冷蔵室３へ供給された冷気は、冷蔵室３の背壁４４の一側下部に形成した冷気吸込み口４８から吸い込まれて、冷凍室５の後方に形成した冷気通路５０を下方に流れて野菜室４の後部に開口した冷気吹き出し口５１から野菜室４に吹き出す。野菜室４に吹き出した冷気は、野菜容器４０内の野菜等を大半の冷気によって間接的に冷却し侵入する一部の冷気によって直接冷却して、野菜室４の上部又は野菜室４の後部に開口した冷気吸込み口５２から再び蒸発器（冷却器）２４にて冷却されるように帰還し、同様の循環をする。
【００２０】
このような構成によって、引き出し式扉９を前方へ引き出すことによって、支持部材２１が引き出されるため、支持部材２１に載置された冷凍室容器１０が引き出され、冷凍室容器１０の上面開口が冷凍冷蔵庫本体２の前方へ位置するため、冷凍室容器１０に対する冷凍食品の出し入れが容易となる。なお、この前方への引き出しによって、ローラ２３による支持から支持部材２１が外れることがないように、引き出し式扉９の前方への引き出しを制限するストッパ部が支持部材２１に設けられている。
【００２１】
冷凍室容器１０は、深い上面開口の不透明な主容器１０Ａと、主容器１０Ａの上面開口上端部の左右フランジ部に前後方向にスライド自在で且つ着脱自在に載置される浅い上面開口の透明な補助容器１０Ｂとからなり、補助容器１０Ｂの上面開口を覆うように補助容器１０Ｂの周縁部に着脱自在に載置される透明な板状の蓋１０Ｃを備えている。支持部材２１に載置されるのは主容器１０Ａであり、引き出し式扉９を前方へ引き出すことによって、支持部材２１と共に主容器１０Ａと補助容器１０Ｂと蓋１０Ｃが一体に引き出されることとなる。このため、引き出し状態で蓋１０Ｃを冷凍室５の奥側へ押し込めば、補助容器１０Ｂ内に対する冷凍食品の出し入れが容易となり、補助容器１０Ｂを蓋１０Ｃごと冷凍室５の奥側へ押し込めば、主容器１０Ａに対する冷凍食品の出し入れが容易となる。主容器１０Ａの下部は二重壁構造になっている。
【００２２】
上記のように、冷凍室容器１０は支持装置２０によって支持されているが、この場合、主容器１０Ａの左右側壁１０Ａ３、１０Ａ４が支持装置２０によって支持されていることにより、この支持構造を冷凍室容器１０が補助容器１０Ｂを設けない単一容器形態の冷凍室容器１０の支持と共通化することができ、支持装置２０のコストダウン化を図ることができるものとなる。また、主容器１０Ａが支持装置２０によって支持されていることにより、補助容器１０Ｂを含む冷凍室容器１０全体の着脱自在な支持がし易くなる。
【００２３】
主容器１０Ａは、主容器１０Ａの後壁１０Ａ１の上部に冷気入口２５を備え、主容器１０Ａの前壁１０Ａ２の上部に冷気出口２６を備えている。冷気入口２５は、補助容器１０Ｂよりも下方位置において後壁１０Ａ１の上部を窪ませた切り欠き状態に形成され、冷気出口２６は複数の縦長孔が横方向に略等間隔に形成された状態で形成されている。冷凍室５の背壁には冷気吹き出し口２７が前方へ向けて突出状態に設けられている。冷気吹き出し口２７から吹き出す冷気は、蒸発器（冷却器）７で冷却した冷気が送風機８によって供給されるものである。
【００２４】
補助容器１０Ｂは、主容器１０Ａの上面開口上端部の左右フランジ部に載置された状態で、その底面が主容器１０Ａ内に進入した状態となり、主容器１０Ａの上面開口の殆んど補助容器１０Ｂによって覆われる状態となる。このため、補助容器１０Ｂによって主容器１０Ａ内の冷気が上方へ逃げることが抑制される。また、補助容器１０Ｂは、冷気入口２５から主容器１０Ａ内へ入った冷気が冷気出口２６から流出する間の冷気ガイドの役目もすることとなる。
【００２５】
そして、蓋１０Ｃが補助容器１０Ｂの上面開口を覆っており、引き出し式扉９を前方へ引き出すことによって、主容器１０Ａと補助容器１０Ｂと蓋１０Ｃが一体に引き出されるが、この引き出し状態において、蓋１０Ｃが補助容器１０Ｂ内の冷気漏れを防止する役目をし、補助容器１０Ｂ内の冷凍食品の温度上昇を抑制すると共に、主容器１０Ａの上面開口は補助容器１０Ｂで覆われているため、主容器１０Ａ内の冷凍食品の温度上昇も抑制される。また、この引き出し状態において、補助容器１０Ｂを蓋１０Ｃで覆った状態で補助容器１０Ｂを主容器１０Ａの上面開口上端部の左右フランジ部上を後方へスライドさせることによって、主容器１０Ａ内の冷凍食品の取り出しが可能となるが、補助容器１０Ｂの上面開口は蓋１０Ｃで覆われているため、補助容器１０Ｂ内の冷凍食品の温度上昇は抑制される。
【００２６】
主容器１０Ａの冷気入口２５には、図３に示すように、常時バネ力又は自重の作用力によって冷気入口２５を閉じる状態に軸支持部２８Ａによって維持された開閉板２８が取り付けられている。支持部材２１に載置された冷凍室容器１０（図では主容器１０Ａと補助容器１０Ｂ）は、引き出し式扉９を閉じることによって、冷凍室５の所定の収納位置に向けて移動するため、この収納位置へ向けて主容器１０Ａが冷凍室５の奥方向へ移動することに伴って、冷気吹き出し口２７が開閉板２８に当接し、前記バネ力又は自重の作用力に抗して開閉板２８が冷気吹き出し口２７によって前方へ押される。そして、引き出し式扉９が冷凍室５の前面開口を閉じた状態で、冷凍室容器１０が冷凍室５の所定位置に収納された状態となるため、この状態で、開閉板２８が図６に示すように軸支持部２８Ａを軸として略水平状態まで回動して冷気入口２５を開く状態となる。この状態で、冷気吹き出し口２７から供給される冷気が主容器１０Ａ内に流入し、冷気出口２６から冷凍室５内へ流出する。冷凍室５内へ流出した冷気は、冷凍室５の背壁の下部等に設けた吸い込み口から蒸発器（冷却器）７へ帰還する循環をする。また、開閉板２８が図６に示すように略水平状態まで回動した状態で、開閉板２８の前端は、主容器１０Ａの後壁１０Ａ１よりも前方へとしないため、主容器１０Ａの貯蔵食品によって開閉板２８の回動が邪魔されない。
【００２７】
また、引き出し式扉９を前方へ引き出すことに伴って、冷凍室容器１０が前方へ引き出されるため、この引き出しに伴って開閉板２８から冷気吹き出し口２７が離れ、開閉板２８は前記バネ力又は自重の作用力によって図３に示すように、冷気入口２５を閉じた状態に保つため、引き出した状態で主容器１０Ａ内の冷気が冷気入口２５から逃げることが防止される。
【００２８】
補助容器１０Ｂは、主容器１０Ａ内に背の高い冷凍食品を収納できるように、前壁の一部（図では正面視で右側）を後方へ切り欠いた部分１０Ｂ１の形成によって、主容器１０Ａの前部の一部には、補助容器１０Ｂが存在しない領域Ｒが形成される。このため、この領域Ｒに背の高い物品を収納することができるものとなる。これは、主容器１０Ａと補助容器１０Ｂを上記のように組み合わせたものを野菜室容器４０として使用する場合には、この領域Ｒに牛乳パックなどのように、背の高い物品を収納することに使用でき便利である。
【００２９】
また、補助容器１０Ｂの上面開口を覆うように、蓋１０Ｃを補助容器１０Ｂの左右壁の上端部に着脱自在に載置する場合、この補助容器１０Ｂの左右壁の上面に、前後に間隔を存して突起を設け、この突起に蓋１０Ｃを載置する構成とすれば、補助容器１０Ｂと蓋１０Ｃとが凍結によって結合し、分離し難くなることも防止できる。
【００３０】
上記実施例では、冷凍室容器１０を主容器１０Ａと補助容器１０Ｂで構成しているが、補助容器１０Ｂを設けず主容器１０Ａのみである構成でも同様である。
【産業上の利用可能性】
【００３１】
本発明の冷凍冷蔵庫は、上記実施形態に限定されず、また、冷凍室の形態や冷凍室容器の形態も上記形態に限定されず、本発明の技術的範囲を逸脱しない限り種々の形態の冷凍冷蔵庫や冷凍室容器に適用できるものである。
【図面の簡単な説明】
【００３２】
【図１】本発明に係る冷凍冷蔵庫の縦断側面図である。（実施例１）
【図２】本発明に係る冷凍冷蔵庫本体の正面図である。（実施例１）
【図３】本発明に係る冷凍室容器の斜視図である。（実施例１）
【図４】本発明に係る冷凍室容器の分解斜視図である。（実施例１）
【図５】本発明に係る冷凍室容器を支持装置に支持する部分の縦断正面図である。（実施例１）
【図６】本発明に係る冷凍室容器への冷気入口部分を示す縦断側面図である。（実施例１）
【図７】本発明に係る冷凍室容器の主容器と補助容器の分離した斜視図である。（実施例１）
【符号の説明】
【００３３】
１・・・冷凍冷蔵庫
２・・・冷凍冷蔵庫本体
３・・・冷蔵室
４・・・野菜室
５・・・冷凍室
７・・・蒸発器（冷却器）
８・・・送風機
９・・・引き出し式扉
１０・・冷凍室容器
１０Ａ・・主容器
１０Ｂ・・補助容器
２０・・支持装置
２１・・支持部材
２２・・レール部
２３・・ローラ
２５・・冷気入口
２６・・冷気出口
２７・・冷気吹き出し口
２８・・開閉板
【図１】
0004749199.tif 000002
【図２】
0004749199.tif 000003
【図３】
0004749199.tif 000004
【図４】
0004749199.tif 000005
【図５】
0004749199.tif 000006
【図６】
0004749199.tif 000007
【図７】
0004749199.tif 000008